(57)【特許請求の範囲】
【請求項１】
押縁を介して面材をフレーム材に支持させた建具において、
前記フレーム材及び前記押縁にそれぞれカバー係合部を設け、
これらフレーム側カバー係合部及び押縁側カバー係合部にそれぞれ係合させることにより、前記押縁から前記フレーム材までの間を覆うようにカバー部材が取り付けてあり、
前記押縁側カバー係合部は、前記押縁の見付け面に沿って延在し、前記見付け面との間に押縁側挿入溝を形成する部分を有したものであり、
前記フレーム側カバー係合部は、前記フレーム材の見付け面に沿って延在し、前記見付け面との間にフレーム側挿入溝を形成するとともに、延在端部において前記見付け面に対向する部位にカバー係合突条を有したものであり、
前記カバー部材は、
前記押縁の見付け面に対向するように配置されるカバー基部と、
前記カバー基部において前記押縁の見付け面に対応する部位に形成し、前記押縁側挿入溝に挿入することにより前記押縁の見付け面と前記押縁側カバー係合部との間に係合される掛かり壁部と、
前記カバー基部から前記フレーム材の見付け面に対向する部位に延在し、前記掛かり壁部が前記押縁側挿入溝に挿入された際に前記フレーム側挿入溝に配置されるとともに、前記カバー係合突条に係合される弾性係合片と、
前記カバー基部から前記フレーム材もしくは前記押縁に向けて突出し、前記掛かり壁部が前記押縁側挿入溝に挿入された際に前記押縁の見付け面もしくは前記フレーム材の見付け面に当接することにより、前記弾性係合片を前記カバー係合突条に押圧する押え片と
を備えることを特徴とする建具。
【請求項２】
前記カバー部材は、前記押縁及び前記フレーム材に取り付けた際に、前記押縁の見込み面に対してその延長上に配置される見込み面を有した見込みカバー部を備えることを特徴とする請求項１に記載の建具。
【請求項３】
前記弾性係合片及び前記押え片は、それぞれ前記カバー基部の先端から互いに分岐して延在し、かつ前記カバー基部の先端から離隔するに従って漸次前記フレーム材の見付け面に近接する側に傾斜することを特徴とする請求項１に記載の建具。
【請求項４】
前記フレーム材は、見込み方向に沿って延在するフレーム基部を備えるとともに、前記フレーム基部の見込み面において互いに見込み方向に沿って間隔を確保した位置からそれぞれ内周側に向けて突出し、個々の突出端部に互いに近接する方向に屈曲した屈曲部分を有する２つのフレーム側押縁係合部を備え、
前記押縁は、見込み方向に沿って延在する押縁基部を備えるとともに、前記押縁基部の面材に近接した縁部から前記フレーム基部に向けて延在した面材支持片部及びもう一方の縁部から前記押縁の見付け面を構成するように前記フレーム基部に向けて延在した見付け片部を備え、
前記面材支持片部の延在端部に、前記２つのフレーム側押縁係合部のいずれか一方の屈曲部分と前記フレーム基部との間に挿入される押縁掛かり壁部を設けるとともに、前記見付け片部の延在端部に、前記２つのフレーム側押縁係合部のいずれか他方の屈曲部分に係合する押縁係合突条を備え、
前記カバー部材の前記押え片を前記フレーム材の見付け面に当接させたことを特徴とする請求項１に記載の建具。
【請求項５】
前記フレーム材は、見込み方向に沿って延在するフレーム基部を備えるとともに、前記フレーム基部の見込み面において互いに見込み方向に沿って間隔を確保した位置からそれぞれ内周側に向けて突出し、個々の突出端部に互いに近接する方向に屈曲した屈曲部分を有する２つのフレーム側押縁係合部を備え、
前記押縁は、見込み方向に沿って延在する押縁基部を備えるとともに、前記押縁基部の面材に近接した縁部から前記フレーム基部に向けて延在した面材支持片部及びもう一方の縁部から前記押縁の見付け面を構成するように前記フレーム基部に向けて延在した見付け片部を備え、
前記面材支持片部の延在端部に、前記２つのフレーム側押縁係合部のいずれか一方の屈曲部分と前記フレーム基部との間に挿入される押縁掛かり壁部を設けるとともに、前記見付け片部の延在端部に、前記２つのフレーム側押縁係合部のいずれか他方の屈曲部分に係合する押縁係合突条を備え、
前記カバー部材の前記押え片を前記押縁の見付け面に当接させたことを特徴とする請求項１に記載の建具。
【発明の詳細な説明】
【技術分野】
【０００１】
本発明は、建具に関するものである。
【背景技術】
【０００２】
はめ殺し窓のように、枠に直接ガラス等の面材を支持させる建具では、枠に一体に設けた支持ヒレ部と、枠に取り付けた押縁との間に面材の縁部を挟持するようにしたものが多い。また、障子の框に面材を支持させる建具においても、同様に、框と押縁との間に面材の縁部を挟持するようにしたものがある。枠や框等のフレーム材には、見込み面に長手方向に沿って第１係合受部及び第２係合受部が設けられ、押縁の対応する部分には、第１係合突条部及び第２係合突条部が設けられている。
【０００３】
この種の建具では、フレーム材の支持ヒレ部にタイト材を介して面材の一方の表面を当接させ、この状態から押縁の一方の係合突条部をフレーム材の対応する係合受部に係合させ、さらにその後、もう一方の係合突条部を対応する係合受部に係合させることで押縁がフレーム材に取り付けられる。このとき、押縁の面材支持片部に保持されたタイト材が面材の他方の表面に当接した状態となり、面材がフレーム材の支持ヒレ部と面材支持片部との間に挟持されることになる（例えば、特許文献１参照）。
【先行技術文献】
【特許文献】
【０００４】
【特許文献１】特開２００８−２０２３６６号公報
【発明の概要】
【発明が解決しようとする課題】
【０００５】
ところで、上記のようにして面材を支持させた建具では、フレーム材の内周側に押縁が露出した状態となる。このため、フレーム材や押縁の成形誤差や組立誤差に起因して、フレーム材と押縁との間の隙間が不均一となったり、フレーム材に対して押縁が傾斜して取り付けられた場合には、そのまま外部から視認されることになり、意匠性を考慮すると必ずしも好ましいとはいえない。
【０００６】
本発明は、上記実情に鑑みて、フレーム材や押縁の成形誤差や組立誤差に起因した意匠性の低下を防止することのできる建具を提供することを目的とする。
【課題を解決するための手段】
【０００７】
上記目的を達成するため、本発明に係る建具は、押縁を介して面材をフレーム材に支持させた建具において、前記フレーム材及び前記押縁にそれぞれカバー係合部を設け、これらフレーム側カバー係合部及び押縁側カバー係合部にそれぞれ係合させることにより、前記押縁から前記フレーム材までの間を覆うようにカバー部材が取り付けてあり、前記押縁側カバー係合部は、前記押縁の見付け面に沿って延在し、前記見付け面との間に押縁側挿入溝を形成する部分を有したものであり、前記フレーム側カバー係合部は、前記フレーム材の見付け面に沿って延在し、前記見付け面との間にフレーム側挿入溝を形成するとともに、延在端部において前記見付け面に対向する部位にカバー係合突条を有したものであり、前記カバー部材は、前記押縁の見付け面に対向するように配置されるカバー基部と、前記カバー基部において前記押縁の見付け面に対応する部位に形成し、前記押縁側挿入溝に挿入することにより前記押縁の見付け面と前記押縁側カバー係合部との間に係合される掛かり壁部と、前記カバー基部から前記フレーム材の見付け面に対向する部位に延在し、前記掛かり壁部が前記押縁側挿入溝に挿入された際に前記フレーム側挿入溝に配置されるとともに、前記カバー係合突条に係合される弾性係合片と、前記カバー基部から前記フレーム材もしくは前記押縁に向けて突出し、前記掛かり壁部が前記押縁側挿入溝に挿入された際に前記押縁の見付け面もしくは前記フレーム材の見付け面に当接することにより、前記弾性係合片を前記カバー係合突条に押圧する押え片とを備えることを特徴とする。
【０００８】
この発明によれば、面材を支持するフレーム材から押縁までの間がカバー部材によって覆われるため、フレーム材や押縁の成形誤差や組立誤差に起因してフレーム材と押縁との間の隙間が不均一となったり、フレーム材に対して押縁が傾斜して取り付けられた場合にも、外部から視認されることがなく、意匠性を損なうおそれがない。
【００１０】
この発明によれば、押縁側挿入溝に掛かり壁部を挿入すると、弾性係合片がフレーム側挿入溝に挿入されるとともにカバー係合突条に係合され、さらに押え片によって弾性係合片がカバー係合突条に押圧された状態となってカバー部材がフレーム材及び押縁に取り付けられる。
【００１１】
また本発明は、上述した建具において、前記カバー部材は、前記押縁及び前記フレーム材に取り付けた際に、前記押縁の見込み面に対してその延長上に配置される見込み面を有した見込みカバー部を備えることを特徴とする。
【００１２】
この発明によれば、押縁の見込み面とカバー部材の見込み面とが同一の平面上に位置することになり、外観品質を向上することができる。
【００１３】
また本発明は、上述した建具において、前記弾性係合片及び前記押え片は、それぞれ前記カバー基部の先端から互いに分岐して延在し、かつ前記カバー基部の先端から離隔するに従って漸次前記フレーム材の見付け面に近接する側に傾斜することを特徴とする。
【００１４】
この発明によれば、弾性係合片及び押え片がそれぞれカバー基部に対して傾斜しているため、フレーム側カバー係合部へカバー部材を取り付ける際にそれぞれが容易に弾性変形することになり、カバー部材のフレーム側カバー係合部への取り付け作業を容易化することができる。
【００１５】
また本発明は、上述した建具において、前記フレーム材は、見込み方向に沿って延在するフレーム基部を備えるとともに、前記フレーム基部の見込み面において互いに見込み方向に沿って間隔を確保した位置からそれぞれ内周側に向けて突出し、個々の突出端部に互いに近接する方向に屈曲した屈曲部分を有する２つのフレーム側押縁係合部を備え、前記押縁は、見込み方向に沿って延在する押縁基部を備えるとともに、前記押縁基部の面材に近接した縁部から前記フレーム基部に向けて延在した面材支持片部及びもう一方の縁部から前記押縁の見付け面を構成するように前記フレーム基部に向けて延在した見付け片部を備え、前記面材支持片部の延在端部に、前記２つのフレーム側押縁係合部のいずれか一方の屈曲部分と前記フレーム基部との間に挿入される押縁掛かり壁部を設けるとともに、前記見付け片部の延在端部に、前記２つのフレーム側押縁係合部のいずれか他方の屈曲部分に係合する押縁係合突条を備え、前記カバー部材の前記押え片を前記フレーム材の見付け面に当接させたことを特徴とする。
【００１６】
この発明によれば、カバー部材を押縁に向けて押圧すると、押え片が弾性変形することによって弾性係合片がフレーム側カバー係合部のカバー係合突条から離隔するため、カバー部材を取り外すことができる。このとき、カバー部材の押え片がフレーム材の見付け面に当接しているため、カバー部材を押縁に向けて押圧した場合にも押縁の押縁係合突条がフレーム側押縁係合部の屈曲部分から離隔することはなく、押縁がフレーム材に装着された状態を維持する。
【００１７】
また本発明は、上述した建具において、前記フレーム材は、見込み方向に沿って延在するフレーム基部を備えるとともに、前記フレーム基部の見込み面において互いに見込み方向に沿って間隔を確保した位置からそれぞれ内周側に向けて突出し、個々の突出端部に互いに近接する方向に屈曲した屈曲部分を有する２つのフレーム側押縁係合部を備え、前記押縁は、見込み方向に沿って延在する押縁基部を備えるとともに、前記押縁基部の面材に近接した縁部から前記フレーム基部に向けて延在した面材支持片部及びもう一方の縁部から前記押縁の見付け面を構成するように前記フレーム基部に向けて延在した見付け片部を備え、前記面材支持片部の延在端部に、前記２つのフレーム側押縁係合部のいずれか一方の屈曲部分と前記フレーム基部との間に挿入される押縁掛かり壁部を設けるとともに、前記見付け片部の延在端部に、前記２つのフレーム側押縁係合部のいずれか他方の屈曲部分に係合する押縁係合突条を備え、前記カバー部材の前記押え片を前記押縁の見付け面に当接させたことを特徴とする。
【００１８】
この発明によれば、カバー部材を押縁に向けて押圧すると、押え片が弾性変形することによって弾性係合片がフレーム側カバー係合部のカバー係合突条から離隔するため、カバー部材を取り外すことができる。このとき、カバー部材の押え片が押縁の見付け面に当接しているため、カバー部材を押縁に向けて押圧した場合には押縁の押縁係合突条がフレーム側押縁係合部の屈曲部分から離隔することになり、カバー部材とともに押縁をフレーム材から取り外すことができる。
【発明の効果】
【００１９】
本発明によれば、面材を支持するフレーム材の見付け面及び押縁の見付け面がカバー部材によって覆われるため、フレーム材や押縁の成形誤差や組立誤差に起因してフレーム材と押縁との間の隙間が不均一となったり、フレーム材に対して押縁が傾斜して取り付けられた場合にも、外部から視認されることがなく、意匠性を損なうおそれがない。
【図面の簡単な説明】
【００２０】
【図１】図１は、本発明の実施の形態１である建具を室内側から見た概念図である。
【図２】図２は、図１に示した建具の縦断面図である。
【図３】図３は、図１に示した建具の横断面図である。
【図４】図４は、図１に示した建具の新設上枠と、押縁及びカバー部材との関係を示す分解図である。
【図５】図５は、図１に示した建具の新設下枠と、カバー部材及び下枠外装カバーとの関係を示す分解図である。
【図６】図６は、図１に示した建具の新設縦枠と、押縁及びカバー部材との関係を示す分解図である。
【図７】図７は、図１に示した建具の新設方立を構成する方立構成要素と、押縁、カバー部材及び方立カバーとの関係を示す分解図である。
【図８】図８は、図５に示した下枠外装カバーの部分斜視図である。
【図９】図９は、本発明の実施の形態２である建具の要部縦断面図である。
【図１０】図１０は、図９に示した建具の新設上枠と、押縁及びカバー部材との関係を示す分解図である。
【図１１】図１１は、図１０に示した建具の新設上枠、押縁及びカバー部材を示したもので、（ａ）は新設上枠に押縁及びカバー部材を取り付けた状態の側面図、（ｂ）はカバー部材を押縁に向けて押圧した状態の側面図、（ｃ）は（ｂ）に示す状態からカバー部材を下方に移動させた状態の側面図である。
【発明を実施するための形態】
【００２１】
以下、添付図面を参照しながら本発明に係る建具の好適な実施の形態について詳細に説明する。
【００２２】
（実施の形態１）
図１〜図３は、本発明の実施の形態１である建具を示したものである。ここで例示する建具は、改修用のＦＩＸ窓（はめ殺し窓）であり、特に、ビルの事務所スペース等、非居住空間を構成する壁の開口に設けられていた既設の建具を改修する際に用いられるものである。なお、以下においては既設の建具及び改修用の建具について説明するため、便宜上、既設の建具を構成する要素には「既設」という用語を付し、本実施の形態１の建具を構成する要素には「新設」という用語を付して両者を区別することとする。
【００２３】
既設の建具は、既設上枠１、既設下枠２及び左右の既設縦枠３のみを残してビルの壁から取り外してある。さらに、これら既設上枠１、既設下枠２及び左右の既設縦枠３の見込み面は、予め突出部分が切除してあり、いずれもほぼ平坦な状態に調整してある。
【００２４】
より具体的に説明すると、既設上枠１及び左右の既設縦枠３については、既設枠基部１ａ，３ａ及び一対のアンカー支持部１ｂ，３ｂのみがビルの壁に残存した状態となっている。既設枠基部１ａ，３ａは、見込み方向に沿って延在した平板状を成している。一対のアンカー支持部１ｂ，３ｂは、既設枠基部１ａ，３ａの室外側縁部及び室内側縁部からそれぞれ開口の外周側に向けてほぼ直角に屈曲している。アンカー支持部１ｂ，３ｂの屈曲端部１ｃ，３ｃは、互いに対向する向きに向けてほぼ直角に屈曲している。
【００２５】
既設下枠２については、既設下枠基部２ａ、一対の既設枠支持ヒレ部２ｂ及び一対のアンカー支持部２ｃがビルの壁に残存した状態となっている。既設下枠基部２ａは、室外側に位置する部分が見込み方向に沿って延在し、かつ室内側に位置する部分が室内に向けて漸次内方となるように傾斜した薄板状を成している。既設下枠基部２ａの下面には、下カバー壁部２ｄが設けられている。下カバー壁部２ｄは、既設下枠基部２ａの外周側表面からほぼ直角に突出した後、室外側に向けて徐々に外周側となるように傾斜し、さらに外周側に向けて屈曲している。下カバー壁部２ｄの延在端部には、連結ブラケット４が取り付けられている。連結ブラケット４は、下カバー壁部２ｄの延在端部から上方に向けて突出した平板状を成している。室外側の既設枠支持ヒレ部２ｂは、既設下枠基部２ａの縁部から内周側に向けてほぼ直角に屈曲している。室内側の既設枠支持ヒレ部２ｂは、既設下枠基部２ａの縁部から内周側に向けてほぼ直角に屈曲した後、室外側に向けてほぼ直角に屈曲している。室内側の既設枠支持ヒレ部２ｂには、室外側の既設枠支持ヒレ部２ｂに対向するように既設面材支持部２ｅが設けられている。室外側のアンカー支持部２ｃは、下カバー壁部２ｄにおいて室外側に傾斜した部分の下面から外周側に向けて突出した後、室内側に向けて屈曲している。室内側のアンカー支持部２ｃは、既設下枠基部２ａの縁部から外周側に向けて突出した後、室外側に向けて屈曲している。
【００２６】
図には明示していないが、既設の各枠１，２，３は、一対のアンカー支持部１ｂ，３ｂ，２ｃの間にそれぞれアンカーと称される支持部材が装着され、個々のアンカーを介してコンクリート製の壁に支持された状態にある。
【００２７】
この既設枠１，２，３を取付対象とする新設建具は、２枚の面材１０を左右方向に並べた連窓であり、新設枠体２０の内部に新設方立２１を備えている。本実施の形態１では、面材１０としてそれぞれ２枚のガラス１１を重ね合わせて構成した複層ガラスを適用している。新設枠体２０は、新設上枠２２、新設下枠２３及び左右の新設縦枠２４によって矩形状に構成したものである。新設方立２１は、新設上枠２２と新設下枠２３との間を連結するように上下方向に沿って配設してあり、新設枠体２０の開口を左右に二分している。それぞれの新設枠２２，２３，２４及び新設方立２１は、アルミニウム合金の押し出し形材によって構成したものであり、それぞれが全長にわたってほぼ一様な断面を有している。本実施の形態１では、新設上枠２２及び左右の新設縦枠２４がほぼ同じ断面形状を有する一方、新設下枠２３が新設上枠２２及び新設縦枠２４とは異なる断面形状を有した新設枠体２０を適用している。
【００２８】
新設上枠２２及び新設縦枠２４は、図４及び図６に示すように、新設枠基部２２ａ，２４ａと、新設枠基部２２ａ，２４ａの室外側縁部に設けた新設枠支持ヒレ部２２ｂ，２４ｂ及び新設シールヒレ部２２ｃ，２４ｃとを有したものである。新設枠基部２２ａ，２４ａは、見込み方向に沿って延在した部分であり、残存する既設枠１，３とほぼ同じ見込み寸法を有するように構成してある。新設枠支持ヒレ部２２ｂ，２４ｂは、新設枠基部２２ａ，２４ａから開口の内周側に向けてほぼ直角となるように屈曲した部分である。新設シールヒレ部２２ｃ，２４ｃは、新設枠基部２２ａ，２４ａから開口の外周側に向けてほぼ直角に延在した後、さらに室内側に向けてほぼ直角に屈曲した部分である。新設シールヒレ部２２ｃ，２４ｃの延在端部には、先端から突出するようにシール材Ｓが装着してある。
【００２９】
これらの新設上枠２２及び新設縦枠２４は、図２及び図３に示すように、既設枠１，３の見込み面と新設枠基部２２ａ，２４ａの見込み面との間に適宜枚数のシムプレートＳＰを介在させた状態でこれらの間にわたってネジ（図示せず）を螺合させることにより、既設枠１，３の内周側に配設され、既設枠１，３を介してビルの壁に取り付けられる。新設シールヒレ部２２ｃ，２４ｃの屈曲した先端部は、既設枠１，３の室外に臨む見付け面に当接し、さらに個々の先端部に装着したシール材Ｓが見付け面に圧接しており、シール材Ｓによって既設枠１，３の見付け面との間の水密性及び気密性を確保している。
【００３０】
新設下枠２３は、図２及び図５に示すように、新設下枠基部２３ａと、新設下枠基部２３ａの室外側縁部に設けた新設外枠支持ヒレ部２３ｂ及び新設下枠連結ヒレ部２３ｃと、新設下枠基部２３ａの室内側縁部に設けた新設見付けヒレ部２３ｄとを有したものである。新設下枠基部２３ａは、見込み方向に沿って延在した部分であり、新設上枠２２や新設縦枠２４とほぼ同じ見込み寸法を有するように構成してある。新設外枠支持ヒレ部２３ｂは、新設下枠基部２３ａから開口の内周側に向けてほぼ直角となるように屈曲した部分である。新設下枠連結ヒレ部２３ｃは、新設下枠基部２３ａから開口の外周側に向けてほぼ直角に屈曲した後に室外側に向けてほぼ直角に屈曲し、さらに開口の外周側に向けて直角に屈曲した部分である。この新設下枠連結ヒレ部２３ｃには、室外に臨む見付け面に一対の係止片部２３ｅが設けてある。係止片部２３ｅは、互いに上下となるように室外側に向けて突出し、個々の突出縁部の外側表面に係止外突条２３ｆを有したもので、下枠外装カバー１３０を保持している。
【００３１】
下枠外装カバー１３０は、新設下枠連結ヒレ部２３ｃを室外側から覆うためのもので、図５及び図８に示すように、外装基部１３０ａ、上方壁部１３０ｂ、一対の支持脚条１３０ｃを備えている。外装基部１３０ａは、新設下枠連結ヒレ部２３ｃの外周側に延在した部分を覆うことのできる大きさを有した平板状を成すものである。上方壁部１３０ｂは、外装基部１３０ａの上縁から室内側に向けて漸次上方に傾斜延在する部分である。支持脚条１３０ｃは、外装基部１３０ａの室内に臨む見付け面から互いに上下となるように室内側に向けて突出した部分であり、互いの間にネジＢの頭部Ｂａを挿通可能とする間隔が確保してある。支持脚条１３０ｃには、個々の突出端部にネジ受座１３０ｄが設けてある。ネジ受座１３０ｄは、支持脚条１３０ｃから互いに対向する向きに延在した部分であり、互いの間にネジＢの軸部Ｂｂを挿通可能、かつネジＢの頭部Ｂａを挿通不可とする間隔が確保してある。また、上方壁部１３０ｂ及び上方に位置する支持脚条１３０ｃには、互いに対向する部位に係止内突条１３０ｅが設けてある。係止内突条１３０ｅは、上方壁部１３０ｂ及び上方に位置する支持脚条１３０ｃの間に係止片部２３ｅを配置した場合に、係止片部２３ｅの係止外突条２３ｆに係合することによって下枠外装カバー１３０を新設下枠連結ヒレ部２３ｃに保持させるものである。
【００３２】
この下枠外装カバー１３０は、外装基部１３０ａにおいて一対の支持脚条１３０ｃの間となる部位の適宜箇所にネジ挿通孔１３０ｆを形成し、ネジ受座１３０ｄの間を介して新設下枠連結ヒレ部２３ｃにネジＢを螺合することにより新設下枠連結ヒレ部２３ｃに取り付けてある。ネジを螺合した後においては、ネジ挿通孔１３０ｆにキャップ３１を装着するようにしている。
【００３３】
上記のように、一対のネジ受座１３０ｄの間を介して新設下枠連結ヒレ部２３ｃにネジＢを螺合することにより、新設下枠連結ヒレ部２３ｃに取り付けた下枠外装カバー１３０においては、日射等の影響によって熱伸びが生じた場合にも、ネジＢに拘束されることなく、長手方向に適宜伸張することが可能である。その後、温度が低下した場合にも、ネジＢに拘束されることなく長手方向に収縮することが可能である。
【００３４】
新設下枠２３の新設見付けヒレ部２３ｄは、新設下枠基部２３ａに対してほぼ直交するように開口の内周側及び外周側に延在したもので、新設内枠支持ヒレ部２３ｇ及び新設固定ヒレ部２３ｈを有している。新設内枠支持ヒレ部２３ｇは、新設見付けヒレ部２３ｄの内周側延在端部から室外側に向けてほぼ直角に突出したものである。新設内枠支持ヒレ部２３ｇの延在端部には、新設外枠支持ヒレ部２３ｂに対向するように新設面材支持部２３ｊが設けてある。新設外枠支持ヒレ部２３ｂと新設内枠支持ヒレ部２３ｇの新設面材支持部２３ｊとの間には、面材１０の板厚よりも大きな隙間が確保してある。新設固定ヒレ部２３ｈは、新設見付けヒレ部２３ｄにおいて外周側延在端部の見付け面から室内側に向けて突出した後、開口の外周側に向けてほぼ直角に屈曲し、さらに室内側に向けてほぼ直角に屈曲した部分である。
【００３５】
この新設下枠２３は、図２に示すように、既設枠支持ヒレ部２ｂにおいて室外側に屈曲した部分の上面に新設固定ヒレ部２３ｈの屈曲端部を当接させ、これらの間にわたってネジ（図示せず）を螺合するとともに、新設下枠連結ヒレ部２３ｃの延在端部と既設下枠２に設けた連結ブラケット４との間にわたってネジＢを螺合することにより、既設下枠２の内周側に配設され、既設下枠２を介してビルの壁に取り付けられる。新設下枠連結ヒレ部２３ｃの延在端部と既設下枠２に設けた連結ブラケット４との間に螺合するネジとしては、下枠外装カバー１３０を連結するネジＢを兼用すれば良い。
【００３６】
新設方立２１は、図３及び図７に示すように、左右２つの方立構成要素２１１，２１２及び方立カバー２１３を備えて構成してある。室内側から見て右側に位置する方立構成要素（以下、「右側方立要素２１１」という）は、新設縦枠２４とほぼ同一の構成を有したものである。すなわち、右側方立要素２１１は、右側方立基部２１１ａと、右側方立基部２１１ａの室外側縁部に設けた右側方立支持ヒレ部２１１ｂ及び方立シールヒレ部２１１ｃと、右側方立基部２１１ａの外周側見込み面に設けたフック片２１１ｄとを有したものである。右側方立基部２１１ａは、見込み方向に沿って延在した部分であり、残存する既設枠３とほぼ同じ見込み寸法を有するように構成してある。右側方立支持ヒレ部２１１ｂは、右側方立基部２１１ａから開口の内周側に向けてほぼ直角となるように屈曲した部分である。方立シールヒレ部２１１ｃは、右側方立基部２１１ａから開口の外周側に向けてほぼ直角に延在した部分である。方立シールヒレ部２１１ｃの先端部において室内に臨む部位には、シール材Ｓが装着してある。フック片２１１ｄは、右側方立基部２１１ａの方立シールヒレ部２１１ｃよりも室内側となる部分から外周方向に向けて突出した後、室内側に向けてほぼ直角に屈曲したものである。
【００３７】
これに対して室内側から見て左側に位置する方立構成要素（以下、「左側方立要素２１２」という）は、左側方立基部２１２ａと、左側方立基部２１２ａの室外側縁部に設けた左側方立支持ヒレ部２１２ｂと、左側方立基部２１２ａの室内側縁部よりも室内側に向けて突出したカバー保持ヒレ部２１２ｃとを有したものである。左側方立基部２１２ａは、見込み方向に沿って延在し、右側方立基部２１１ａとほぼ同じ見込み寸法を有するように構成したもので、開口の外周側となる見込み面にシール受部２１２ｄ、フック受部２１２ｅ及び支持台部２１２ｆを有している。シール受部２１２ｄ及びフック受部２１２ｅは、それぞれ左側方立基部２１２ａの見込み面からほぼ直角となるように延在した平板状を成すものである。これらシール受部２１２ｄ及びフック受部２１２ｅは、左側方立基部２１２ａと右側方立基部２１１ａとを互いに対向させた場合に、右側方立基部２１１ａに設けた方立シールヒレ部２１１ｃ及びフック片２１１ｄに対応する位置に設けてある。すなわち、フック片２１１ｄの先端部をフック受部２１２ｅの室外に臨む表面に当接させた場合に右側方立基部２１１ａの見込み位置が左側方立基部２１２ａに合致し、かつ方立シールヒレ部２１１ｃに装着したシール材Ｓがシール受部２１２ｄの室外に臨む表面に圧接された状態となるように、シール受部２１２ｄ及びフック受部２１２ｅが設けてある。支持台部２１２ｆは、一対の支持脚２１２ｇの間に架け渡すように設けた平板状部材であり、左側方立基部２１２ａの見込み面から開口の外周側に突出し、かつ左側方立基部２１２ａと平行となるように設けてある。左側方立支持ヒレ部２１２ｂは、左側方立基部２１２ａから開口の内周側に向けてほぼ直角となるように屈曲した部分である。カバー保持ヒレ部２１２ｃは、室内側に位置する支持脚２１２ｇの室内に臨む見付け面から室内に向けてほぼ直角に延在した後、一旦右方に向けてほぼ直角に屈曲し、さらに室内側に向けてほぼ直角に屈曲した後、左方に向けてほぼ直角に屈曲し、最後に室内側に向けてほぼ直角に屈曲している。カバー保持ヒレ部２１２ｃの突出端部は、既設枠３の室内に臨む見付け面よりも室内側に突出している。
【００３８】
これら右側方立要素２１１及び左側方立要素２１２は、右側方立基部２１１ａと左側方立基部２１２ａの支持台部２１２ｆとの間に適宜枚数のシムプレートＳＰを介在させた状態でこれらの間にわたってネジ（図示せず）を螺合させることにより、互いに連結した状態となる。このとき、右側方立要素２１１及び左側方立要素２１２は、フック片２１１ｄの延在端部がフック受部２１２ｅに当接し、かつ方立シールヒレ部２１１ｃのシール材Ｓがシール受部２１２ｄに圧接された状態にあり、右側方立基部２１１ａ及び左側方立基部２１２ａの見込み位置が互いに合致し、かつシール材Ｓによって互いの間の水密性及び気密性が確保されている。
【００３９】
方立カバー２１３は、角筒状を成すカバー本体２１３ａと、カバー本体２１３ａの室外に臨む見付け面から突出した連結板部２１３ｂとを有したものである。カバー本体２１３ａは、左右方向の寸法が、互いに連結した右側方立要素２１１の右側方立支持ヒレ部２１１ｂから左側方立要素２１２の左側方立支持ヒレ部２１２ｂまでの見付け寸法にほぼ合致する大きさを有した中空部材である。連結板部２１３ｂは、カバー本体２１３ａの見付け面からほぼ直角となるように延在した平板状を成すものである。この連結板部２１３ｂは、左側方立要素２１２のカバー保持ヒレ部２１２ｃにおいて室内側から見た場合に左側に位置する面に当接した状態で互いの間にネジ（図示せず）を螺合させることによりカバー保持ヒレ部２１２ｃに固定してある。この方立カバー２１３には、カバー本体２１３ａの両側縁部にそれぞれカバーヒレ部２１３ｃが設けてある。カバーヒレ部２１３ｃは、カバー本体２１３ａの室外に臨む見付け面の両側縁部からそれぞれ室外に向けて互いに平行となるように延在したものである。個々の延在端部は、既設枠１，２，３の室内に臨む見付け面と同一の平面上となるように設けてある。
【００４０】
一方、新設枠体２０及び新設方立２１には、新設下枠２３を除く新設枠２２，２４の見込み面、右側方立要素２１１の見込み面及び左側方立要素２１２の見込み面に、それぞれ２つのフレーム側押縁係合部２０１，２０２及びフレーム側カバー係合部２０３が設けてある。本実施の形態１においては、２つのフレーム側押縁係合部２０１，２０２及びフレーム側カバー係合部２０３がすべて同じ構成を有するように構成している。従って、以下の説明においては、新設下枠２３を除く新設枠２２，２４、右側方立要素２１１及び左側方立要素２１２を「フレーム材２２，２４，２１１，２１２」、新設上枠２２及び新設縦枠２４の新設枠基部２２ａ，２４ａ、右側方立要素２１１の右側方立基部２１１ａ、左側方立要素２１２の左側方立基部２１２ａを「フレーム基部２２ａ，２４ａ，２１１ａ，２１２ａ」、新設上枠２２及び新設縦枠２４の新設枠支持ヒレ部２２ｂ，２４ｂ、右側方立要素２１１の右側方立支持ヒレ部２１１ｂ、左側方立要素２１２の左側方立支持ヒレ部２１２ｂを「支持ヒレ部２２ｂ，２４ｂ，２１１ｂ，２１２ｂ」と総称して説明を行うこととする。
【００４１】
２つのフレーム側押縁係合部２０１，２０２は、後述する押縁３０をフレーム材２２，２４，２１１，２１２に支持させるためのものである。本実施の形態１では、フレーム基部２２ａ，２４ａ，２１１ａ，２１２ａの見込み面において互いに見込み方向に沿って間隔を確保した位置からそれぞれ開口の内周側に向けて２つのフレーム側押縁係合部２０１，２０２が突設してある。フレーム側押縁係合部２０１，２０２の突出端部には、それぞれ屈曲部分２０１ａ，２０２ａが設けてある。屈曲部分２０１ａ，２０２ａは、互いに近接する方向に向け、かつフレーム基部２２ａ，２４ａ，２１１ａ，２１２ａの見込み面とほぼ平行となるように屈曲したものである。図からも明らかなように、室内側に設けたフレーム側押縁係合部（以下、「フレーム側内方押縁係合部２０２」という）は、室外側に設けたフレーム側押縁係合部（以下、「フレーム側外方押縁係合部２０１」という）よりもフレーム基部２２ａ，２４ａ，２１１ａ，２１２ａの見込み面からの突出量が大きくなるように形成してある。フレーム側内方押縁係合部２０２は、室外側の支持ヒレ部２２ｂ，２４ｂ，２１１ｂ，２１２ｂとの間に面材１０の板厚よりも大きな間確を確保した位置に設けてある。
【００４２】
これら２つのフレーム側押縁係合部２０１，２０２に装着される押縁３０としては、新設上枠２２、新設縦枠２４、右側方立要素２１１及び左側方立要素２１２で共通の構成を有するものを適用している。本実施の形態１では、新設枠２２，２３，２４と同様、アルミニウム合金の押し出し形材によって構成し、それぞれが全長にわたってほぼ一様な断面を有したもので、押縁基部３０ａ、面材支持片部３０ｂ及び見付け片部３０ｃを備えている。
【００４３】
押縁基部３０ａは、開口の見込み方向に沿って延在する平板状を成すものである。面材支持片部３０ｂは、押縁基部３０ａの室外側縁部からフレーム基部２２ａ，２４ａ，２１１ａ，２１２ａの見込み面に向けてほぼ直角に屈曲したものである。面材支持片部３０ｂのフレーム基部２２ａ，２４ａ，２１１ａ，２１２ａからの突出寸法は、支持ヒレ部２２ｂ，２４ｂ，２１１ｂ，２１２ｂのフレーム基部２２ａ，２４ａ，２１１ａ，２１２ａからの突出寸法とほぼ等しいように形成してある。面材支持片部３０ｂには、延在端部に押縁掛かり壁部３０ｄが設けてある。押縁掛かり壁部３０ｄは、面材支持片部３０ｂの延在端部から室外側に向けてほぼ直角に屈曲した部分である。見付け片部３０ｃは、押縁基部３０ａの室内側縁部からフレーム基部２２ａ，２４ａ，２１１ａ，２１２ａの見込み面に向けてほぼ直角に屈曲したもので、延在端部に係合フック部３０ｅを有するとともに、室内側の見付け面に押縁側カバー係合部３０ｆを有している。係合フック部３０ｅは、見付け片部３０ｃの延在端部から室外側に向けてほぼ直角に屈曲した後、フレーム基部２２ａ，２４ａ，２１１ａ，２１２ａの見込み面に向けて延在したもので、延在端部に押縁係合突条３０ｇを有している。押縁係合突条３０ｇは、基端部が係合フック部３０ｅから室内側に向けて突出したもので、先端に向けて漸次板厚が小さくなるように傾斜している。図からも明らかなように、押縁３０の見付け片部３０ｃは、押縁基部３０ａをフレーム基部２２ａ，２４ａ，２１１ａ，２１２ａに対してほぼ平行に配置した場合に見付け片部３０ｃの押縁係合突条３０ｇが、フレーム側内方押縁係合部２０２の屈曲部分２０２ａに係合することができるように、押縁基部３０ａからの延在長さが面材支持片部３０ｂよりも小さく設定してある。押縁側カバー係合部３０ｆは、見付け片部３０ｃの見付け面から室内側に向けてほぼ直角に突出した後、フレーム基部２２ａ，２４ａ，２１１ａ，２１２ａから離隔する方向へほぼ直角に屈曲したもので、見付け片部３０ｃの見付け面との間に押縁側挿入溝３０ｈを形成している。
【００４４】
フレーム材２２，２４，２１１，２１２のフレーム側カバー係合部２０３は、フレーム基部２２ａ，２４ａ，２１１ａ，２１２ａの室内側縁部から開口の内周側に向けて延在したもので、フレーム側内方押縁係合部２０２の見付け面との間にフレーム側挿入溝２０３ａを形成している。フレーム側カバー係合部２０３の延在端部には、カバー係合突条２０３ｂが設けてある。カバー係合突条２０３ｂは、基端部がフレーム側カバー係合部２０３からフレーム側内方押縁係合部２０２の見付け面に向けて突出したもので、先端に向けて漸次板厚が小さくなるように傾斜している。
【００４５】
上記のように構成した新設枠体２０及び新設方立２１に面材１０を支持させるには、まず、新設下枠２３の新設外枠支持ヒレ部２３ｂと新設内枠支持ヒレ部２３ｇの新設面材支持部２３ｊとの間に面材１０の下縁部を挿入し、その後、面材１０の両側縁部を新設縦枠２４の新設枠支持ヒレ部２４ｂ、右側方立要素２１１の右側方立支持ヒレ部２１１ｂ、左側方立要素２１２の左側方立支持ヒレ部２１２ｂに対向させ、さらに面材１０の上縁部を新設上枠２２の新設枠支持ヒレ部２４ｂに対向させる。面材１０の室外側表面に対向させる場合には、予め新設下枠２３の新設外枠支持ヒレ部２３ｂとの間、新設内枠支持ヒレ部２３ｇの新設面材支持部２３ｊとの間、新設縦枠２４及び新設上枠２２の新設枠支持ヒレ部２２ｂ，２４ｂとの間、右側方立支持ヒレ部２１１ｂとの間、左側方立支持ヒレ部２１２ｂとの間にそれぞれシール材１２を介在させるようにしている。
【００４６】
この状態から新設上枠２２、新設縦枠２４、右側方立要素２１１、左側方立要素２１２の見込み面にそれぞれ押縁３０を装着し、押縁３０と新設枠支持ヒレ部２４ｂとの間、押縁３０と右側方立支持ヒレ部２１１ｂとの間、左側方立支持ヒレ部２１２ｂとの間にそれぞれ面材１０の縁部を挟持するようにしている。すなわち、押縁３０の面材支持片部３０ｂに設けた押縁掛かり壁部３０ｄを、先にフレーム側外方押縁係合部２０１とフレーム基部２２ａ，２４ａ，２１１ａ，２１２ａの見込み面との間に挿入し、この状態から押縁掛かり壁部３０ｄを支点として押縁３０の見付け片部３０ｃがフレーム側内方押縁係合部２０２に近接するように押縁３０を回転させれば、見付け片部３０ｃの延在端部に設けた押縁係合突条３０ｇがフレーム側内方押縁係合部２０２に係合され、押縁基部３０ａがフレーム基部２２ａ，２４ａ，２１１ａ，２１２ａとほぼ平行となった状態で押縁３０が新設上枠２２、新設縦枠２４、右側方立要素２１１、左側方立要素２１２の見込み面に装着されることになる。この状態においては、押縁３０の面材支持片部３０ｂが面材１０の室内側表面に対向することになり、面材１０がフレーム材２２，２４，２１１，２１２の支持ヒレ部２２ｂ，２４ｂ，２１１ｂ，２１２ｂと押縁３０の面材支持片部３０ｂとの間に挟持された状態となる。押縁３０の面材支持片部３０ｂを面材１０の室内側表面に対向させる場合には、予め面材支持片部３０ｂとの間にシール材１２を介在させるようにしている。
【００４７】
この建具によれば、押縁３０の見付け片部３０ｃを押すように外力を加えれば、見付け片部３０ｃの延在端部に設けた押縁係合突条３０ｇがフレーム側内方押縁係合部２０２から離脱するように弾性的に変形することになる。従って、このまま押縁掛かり壁部３０ｄを支点として押縁３０の見付け片部３０ｃがフレーム側内方押縁係合部２０２から離隔するように押縁３０を回転させれば、新設上枠２２、新設縦枠２４、右側方立要素２１１、左側方立要素２１２から押縁３０を取り外すことができ、面材１０の交換等、面材１０を着脱させる際の作業を容易に行うことが可能となる。
【００４８】
ここで、上記のように押縁３０を適用して面材１０を支持した建具では、新設下枠２３を除くフレーム材２２，２４，２１１，２１２の内周側に押縁３０が露出した状態になる。このため、フレーム材２２，２４，２１１，２１２や押縁３０の成形誤差や組立誤差に起因して、フレーム材２２，２４，２１１，２１２と押縁３０との間の隙間が不均一となったり、フレーム材２２，２４，２１１，２１２に対して押縁３０が傾斜して取り付けられた場合には、そのまま外部から視認されることになり、建具の意匠性に大きな影響を与えるおそれがある。
【００４９】
そこで、この建具では、押縁３０からフレーム材２２，２４，２１１，２１２までの間を覆うようにカバー部材４０，５０を取り付けることにより、上述の問題を解決するようにしている。カバー部材４０，５０は、新設上枠２２と押縁３０との間に設けるものと、新設縦枠２４と押縁３０との間に設けるものとが共通の構成を有し、右側方立要素２１１と押縁３０との間に設けるものと左側方立要素２１２と押縁３０との間に設けるものとが共通の構成を有したものである。以下、新設上枠２２と押縁３０との間に設けるカバー部材及び新設縦枠２４と押縁３０との間に設けるカバー部材を「枠用カバー部材４０」と総称し、右側方立要素２１１と押縁３０との間に設けるカバー部材及び左側方立要素２１２と押縁３０との間に設けるカバー部材を「方立用カバー部材５０」と総称して説明を行う。
【００５０】
枠用カバー部材４０及び方立用カバー部材５０は、アルミニウム合金の押し出し形材によって成形し、それぞれが全長にわたってほぼ一様な断面を有したもので、図２〜図７に示すように、カバー基部４０ａ，５０ａ、掛かり壁部４０ｂ，５０ｂ、弾性係合片４０ｃ，５０ｃ、押え片４０ｄ，５０ｄ及び見込みカバー部４０ｅ，５０ｅを共通要素として備えている。
【００５１】
カバー基部４０ａ，５０ａは、押縁３０の見付け片部３０ｃに対向するように配置される平板状を成すものである。掛かり壁部４０ｂ，５０ｂは、カバー基部４０ａ，５０ａにおいて押縁３０の見付け片部３０ｃに対向する部位からほぼ直角に延在した後、フレーム基部２２ａ，２４ａ，２１１ａ，２１２ａに向けてほぼ直角に屈曲したものである。掛かり壁部４０ｂ，５０ｂのカバー基部４０ａ，５０ａからの突出寸法は、押縁３０の見付け片部３０ｃからの押縁側カバー係合部３０ｆの突出寸法よりも大きく設定してある。
【００５２】
弾性係合片４０ｃ，５０ｃ及び押え片４０ｄ，５０ｄは、カバー基部４０ａ，５０ａの一方の端縁から分岐し、それぞれフレーム側内方押縁係合部２０２の見付け面に対向する部位に延在したものである。これら弾性係合片４０ｃ，５０ｃ及び押え片４０ｄ，５０ｄは、カバー基部４０ａ，５０ａから延在するに従って漸次フレーム側内方押縁係合部２０２の見付け面に近接するように傾斜したものである。
【００５３】
弾性係合片４０ｃ，５０ｃは、掛かり壁部４０ｂ，５０ｂを押縁３０の押縁側挿入溝３０ｈに挿入した場合にフレーム側カバー係合部２０３のカバー係合突条２０３ｂに係合することのできる寸法に形成してある。押え片４０ｄ，５０ｄは、図からも明らかなように、弾性係合片４０ｃ，５０ｃよりもフレーム側内方押縁係合部２０２の見付け面に近接する部位に配設し、かつ弾性係合片４０ｃ，５０ｃよりも大きな傾斜角度を有したものである。押え片４０ｄ，５０ｄの延在端部は、掛かり壁部４０ｂ，５０ｂにおいてフレーム基部２２ａ，２４ａ，２１１ａ，２１２ａに向けて延在した部分よりも室外側に突出するように構成してあり、掛かり壁部４０ｂ，５０ｂを押縁３０の押縁側挿入溝３０ｈに挿入した場合にフレーム側内方押縁係合部２０２の見付け面に押圧することが可能である。
【００５４】
見込みカバー部４０ｅ，５０ｅは、カバー基部４０ａ，５０ａに対して直交するように延在した平板状部分であり、カバー基部４０ａ，５０ａの他方の端縁に設けてある。この見込みカバー部４０ｅ，５０ｅは、掛かり壁部４０ｂ，５０ｂを押縁３０の押縁側挿入溝３０ｈに挿入した場合に押縁基部３０ａの延長上に位置し、互いの見込み面が同一の平面上に位置するように構成してある。見込みカバー部４０ｅ，５０ｅの見込み寸法は、押縁３０の見付け片部３０ｃから既設枠１，２，３の室内に臨む見付け面までの距離と等しくなるように設定してある。また、カバー基部４０ａ，５０ａから室外側に向けた見込みカバー部４０ｅ，５０ｅの突出寸法は、掛かり壁部４０ｂ，５０ｂの突出寸法とほぼ同じである。
【００５５】
枠用カバー部材４０には、さらに見込みカバー部４０ｅ，５０ｅの室内側縁部から開口の外周側に向けて見付けカバー部４０ｆが設けてあるとともに、カバー基部４０ａ，５０ａと見付けカバー部４０ｆとの間に補強ヒレ部４０ｇが設けてある。見付けカバー部４０ｆは、見込みカバー部４０ｅからフレーム材２２，２４，２１１，２１２のフレーム基部２２ａ，２４ａ，２１１ａ，２１２ａまでの距離を超える寸法を有した平板状部分である。補強ヒレ部４０ｇは、見込みカバー部４０ｅと平行となるように延在し、カバー基部４０ａにおいて掛かり壁部４０ｂと弾性係合片４０ｃとの間となる部位から見付けカバー部４０ｆまでの間を互いに連結している。
【００５６】
上記のように構成した枠用カバー部材４０及び方立用カバー部材５０は、それぞれの掛かり壁部４０ｂ，５０ｂを押縁側挿入溝３０ｈに挿入すると、弾性係合片４０ｃ，５０ｃがフレーム側カバー係合部２０３のカバー係合突条２０３ｂに係合するとともに、押え片４０ｄ，５０ｄがフレーム側内方押縁係合部２０２の見付け面に圧接された状態となる。この状態においては、掛かり壁部４０ｂ，５０ｂが押縁３０の押縁側カバー係合部３０ｆに係合されるため、押縁３０に対するカバー部材４０，５０の見込み方向に沿った移動が阻止される。また、押え片４０ｄ，５０ｄの弾性力により、弾性係合片４０ｃ，５０ｃがフレーム側カバー係合部２０３に係合された状態に維持されるため、フレーム材２２，２４，２１１，２１２に対するカバー部材４０，５０の見付け方向に沿った移動も阻止される。
【００５７】
これにより、新設方立２１においては、見込みカバー部５０ｅが押縁３０の押縁基部３０ａと方立カバー２１３のカバーヒレ部２１３ｃとの間の隙間を覆うように方立用カバー部材５０が配置されることになる。また、新設上枠２２及び新設縦枠２４においては、見込みカバー部４０ｅ及び見付けカバー部４０ｆが押縁３０の押縁基部３０ａからフレーム側カバー係合部２０３の見付け面を覆うように枠用カバー部材４０が配置されることになる。従って、仮に、新設上枠２２や新設縦枠２４や新設方立２１、あるいは押縁３０に成形誤差があったり、押縁３０を装着する際に組立誤差が生じたとしても、方立用カバー部材５０や枠用カバー部材４０によって外部から視認されることがなくなり、建具の意匠性を損なうおそれがない。
【００５８】
しかも、枠用カバー部材４０においては、見込みカバー部４０ｅが押縁基部３０ａの延長上に位置し、互いの見込み面が同一の平面上に位置するため、外観品質を向上することができる。
【００５９】
また、枠用カバー部材４０及び方立用カバー部材５０によれば、弾性係合片４０ｃ，５０ｃ及び押え片４０ｄ，５０ｄがそれぞれカバー基部４０ａ，５０ａに対して傾斜しているため、フレーム側カバー係合部２０３へカバー部材４０，５０を取り付ける際にそれぞれが容易に弾性変形することになり、カバー部材４０，５０のフレーム側カバー係合部２０３への取り付け作業を容易化することができる。
【００６０】
さらに、本実施の形態１では、意匠の統一性を考慮し、新設上枠２２に配設した枠用カバー部材４０を新設下枠２３にも取り付けるようにしている。すなわち、図５に示すように、新設下枠２３には、新設見付けヒレ部２３ｄの見付け面に、押縁側カバー係合部３０ｆと同じ構成の第１下枠カバー係合部２３ｋが設けてあるとともに、新設固定ヒレ部２３ｈに、フレーム側カバー係合部２０３と同じ構成の第２下枠カバー係合部２３ｍが設けてある。従って、枠用カバー部材４０の掛かり壁部４０ｂを第１下枠カバー係合部２３ｋとの間に挿入すると、弾性係合片４０ｃが第２下枠カバー係合部２３ｍのカバー係合突条２３ｎに係合するとともに、押え片４０ｄが新設見付けヒレ部２３ｄの見付け面に圧接され、新設下枠２３に対するカバー部材４０の見込み方向に沿った移動及び見付け方向の移動が阻止された状態で枠用カバー部材４０が新設下枠２３に取り付けられることになる。この結果、新設枠２２，２３，２４のすべてに同じ枠用カバー部材４０が取り付けられることになり、意匠性の向上を図ることが可能となる。
【００６１】
ここで、実施の形態１の枠用カバー部材４０においては、押え片４０ｄがフレーム側内方押縁係合部２０２の見付け面に圧接された状態となるため、枠用カバー部材４０の見付けカバー部４０ｆを室外側に向けて押圧するような外力が加えられた場合にも、押縁３０の見付け片部３０ｃに設けた押縁係合突条３０ｇがフレーム側内方押縁係合部２０２から離脱することがない。特に、実施の形態１では、カバー基部４０ａにおいて補強ヒレ部４０ｇが連結される部分が押縁側カバー係合部３０ｆとの間に隙間を確保して配置されるため、見付けカバー部４０ｆに加えられた外力が押縁３０の見付け片部３０ｃに伝達されることがなく、押縁３０の見付け片部３０ｃに設けた押縁係合突条３０ｇがより確実にフレーム側内方押縁係合部２０２に係合した状態を維持することになる。これにより、例えば枠用カバー部材４０を取り外すべく、見付けカバー部４０ｆに設けた弾性係合片４０ｃを室外側に向けて押圧した場合にも、新設上枠２２や新設縦枠２４から押縁３０が不用意に脱落することはなく、面材１０が不用意に脱落する事態を招来するおそれもない。
【００６２】
（実施の形態２）
図９は、本発明の実施の形態２である建具を示したものである。ここで例示する建具は、実施の形態１と同様、ビルの事務所スペース等、非居住空間を構成する壁の開口に設けられていた既設の建具を改修する際に用いられるＦＩＸ窓（はめ殺し窓）であり、実施の形態１とは、枠用カバー部材１４０の構成のみが異なっている。なお、実施の形態２において実施の形態１と同様の構成については、同一の符号を付してそれぞれの詳細説明を省略する。
【００６３】
実施の形態２の枠用カバー部材１４０は、アルミニウム合金の押し出し形材によって成形し、それぞれが全長にわたってほぼ一様な断面を有したもので、図１０及び図１１の（ａ）に示すように、カバー基部１４０ａ、掛かり壁部１４０ｂ、押え片１４０ｄ、弾性係合片１４０ｃ、見付けカバー部１４０ｆ及び見込みカバー部１４０ｅを備えている。
【００６４】
カバー基部１４０ａは、押縁３０の見付け片部３０ｃに対向するように配置される平板状を成すものである。掛かり壁部１４０ｂは、カバー基部１４０ａの基端から押縁３０の見付け片部３０ｃに向けてほぼ直角に延在した後、新設上枠基部２２ａに向けてほぼ直角に屈曲したものである。
【００６５】
押え片１４０ｄは、カバー基部１４０ａの先端から押縁３０の見付け片部３０ｃに向けてほぼ直角に延在したものである。この押え片１４０ｄは、掛かり壁部１４０ｂを押縁側挿入溝３０ｈに挿入した場合に押縁３０の見付け片部３０ｃにおいて新設上枠基部２２ａに近接した縁部に当接することのできる寸法に設定してある。
【００６６】
弾性係合片１４０ｃは、押え片１４０ｄにおいて新設上枠基部２２ａに対向する部分から新設上枠基部２２ａに近接する向きに突出したもので、掛かり壁部１４０ｂを押縁３０の押縁側挿入溝３０ｈに挿入した場合にフレーム側カバー係合部２０３のカバー係合突条２０３ｂに係合することのできる寸法に形成してある。
【００６７】
見付けカバー部１４０ｆは、押縁基部３０ａの見込み面から新設上枠２２の新設上枠基部２２ａまでの距離を超える寸法を有した平板状部分である。この見付けカバー部１４０ｆは、カバー基部１４０ａの基端から室内側に向けて延在した連絡ヒレ部１４０ｇを介してカバー基部１４０ａに連結してある。
【００６８】
見込みカバー部１４０ｅは、見付けカバー部１４０ｆの内周側縁部から室外側に向けて延在した平板状部分である。この見込みカバー部１４０ｅは、掛かり壁部１４０ｂを押縁３０の押縁側挿入溝３０ｈに挿入した場合に押縁基部３０ａの延長上に位置し、互いの見込み面が同一の平面上に位置するように構成してある。見込みカバー部１４０ｅの見込み寸法は、押縁３０の見付け片部３０ｃから既設枠１の室内に臨む見付け面までの距離と等しくなるように設定してある。
【００６９】
上記のように構成した枠用カバー部材１４０においては、掛かり壁部１４０ｂを押縁側挿入溝３０ｈに挿入すると、弾性係合片１４０ｃがフレーム側カバー係合部２０３のカバー係合突条２０３ｂに係合するとともに、押え片１４０ｄが押縁３０の見付け片部３０ｃに圧接された状態となる。この状態においては、掛かり壁部１４０ｂが押縁３０の押縁側カバー係合部３０ｆに係合されるため、押縁３０に対する枠用カバー部材４０の見込み方向に沿った移動が阻止される。また、押え片１４０ｄの弾性力により、弾性係合片１４０ｃがフレーム側カバー係合部２０３に係合された状態に維持されるため、新設上枠２２に対する枠用カバー部材４０の見付け方向に沿った移動も阻止される。
【００７０】
これにより、新設上枠２２においては、見込みカバー部１４０ｅ及び見付けカバー部１４０ｆが押縁３０の押縁基部３０ａからフレーム側カバー係合部２０３の見付け面を覆うように枠用カバー部材１４０が配置されることになる。従って、仮に、新設上枠２２あるいは押縁３０に成形誤差があったり、押縁３０を装着する際に組立誤差が生じたとしても、枠用カバー部材１４０によって外部から視認されることがなくなり、建具の意匠性を損なうおそれがない。
【００７１】
しかも、枠用カバー部材１４０においては、見込みカバー部１４０ｅが押縁基部３０ａの延長上に位置し、互いの見込み面が同一の平面上に位置するため、外観品質を向上することができるようになる。
【００７２】
ここで、実施の形態２の枠用カバー部材１４０においては、押え片１４０ｄが押縁３０の見付け片部３０ｃに圧接された状態となるため、図１１の（ｂ）に示すように、枠用カバー部材１４０の見付けカバー部１４０ｆを室外側に向けて押圧するような外力が加えられた場合、押縁３０の見付け片部３０ｃが室外側に向けて変形し、係合フック部３０ｅの押縁係合突条３０ｇがフレーム側内方押縁係合部２０２の屈曲部分２０２ａから離脱することになる。従って、枠用カバー部材１４０をそのまま図中において下方に移動させれば、図１１の（ｃ）に示すように、枠用カバー部材１４０とともに押縁３０が押縁掛かり壁部３０ｄを支点として回転し、見付け片部３０ｃがフレーム側内方押縁係合部２０２から離隔する。これにより、枠用カバー部材１４０を介して新設上枠２２から押縁３０を取り外すことができるようになり、面材１０の交換等、面材１０を着脱させる際の作業を容易に行うことが可能となる。
【００７３】
なお、上述した実施の形態１及び実施の形態２では、改修用の建具を例示しているが、必ずしも改修用の建具に限定されない。また、方立を備えた連窓を例示しているが、必ずしも連窓である必要はない。なお、連窓の場合に上述した実施の形態１では面材を２枚備えたものを例示したが、面材を３枚以上備えるものであっても構わない。また面材を左右に並設するものである必要はなく、上下に並設した段窓と称されるものにも適用可能である。さらに、枠に直接面材を支持させたＦＩＸ窓を例示しているが、框を介して枠に面材を支持させるようにした建具においても同様に適用することが可能である。
【符号の説明】
【００７４】
１０  面材、２２，２４，２１１，２１２  フレーム材、２２ａ，２４ａ，２１１ａ，２１２ａ  フレーム基部、３０  押縁、３０ａ  押縁基部、３０ｂ  面材支持片部、３０ｃ  見付け片部、３０ｄ  押縁掛かり壁部、３０ｆ  押縁側カバー係合部、３０ｇ  押縁係合突条、３０ｈ  押縁側挿入溝、４０，５０，１４０  カバー部材、４０ａ，５０ａ，１４０ａ  カバー基部、４０ｂ，５０ｂ，１４０ｂ  掛かり壁部、４０ｃ，５０ｃ，１４０ｃ  弾性係合片、４０ｄ，５０ｄ，１４０ｄ  押え片、４０ｅ，５０ｅ，１４０ｅ  見込みカバー部、４０ｆ，１４０ｆ  見付けカバー部、２０１，２０２  フレーム側押縁係合部、２０１ａ，２０２ａ  屈曲部分、２０３  フレーム側カバー係合部、２０３ａ  フレーム側挿入溝、２０３ｂ  カバー係合突条。
【図１】
0006527802.tif 000002
【図２】
0006527802.tif 000003
【図３】
0006527802.tif 000004
【図４】
0006527802.tif 000005
【図５】
0006527802.tif 000006
【図６】
0006527802.tif 000007
【図７】
0006527802.tif 000008
【図８】
0006527802.tif 000009
【図９】
0006527802.tif 000010
【図１０】
0006527802.tif 000011
【図１１】
0006527802.tif 000012